(57)【特許請求の範囲】
【請求項１】
巻き上げロール（１）の端部に装着するロールエンド（２）に、前記巻き上げロール周端面に密着するフランジ部（３）を設け、前記フランジ部に前記巻き上げロールのスクリーン止着室（５）と外半径方向及び軸方向において連通するスクリーン出入口（４）を形成し、前記ロールエンドに外側から前記スクリーン出入口を開閉するリングカバー（６）を部分回動可能に取り付けてなるスクリーン保持機構であって、前記リングカバーは、前記スクリーン出入口と外半径方向及び軸方向において連通する開口（７）と、前記フランジ側へ軸方向に突出する複数の突起（８）を有し、前記フランジ部は前記突起が貫通しかつ部分回動する円弧穴（１０）を有し、前記突起は先端のフック（９）を前記円弧穴の内周縁に弾性的に掛けて軸方向に安定し、前記円弧穴は内周中央の中高部（１１）により両側に分かれ、前記突起が前記円弧穴の一側に位置すると、前記開口が前記スクリーン出入口を開き、前記突起が前記一側から前記中高部を弾性的に越えて他側に位置すると、前記スクリーン出入口が閉じることを特徴としてなるロールスクリーンの巻き上げロールのスクリーン保持機構。
【請求項２】
巻き上げロール（２２）の端部に装着するロールエンド（１２）に前記巻き上げロール周端面に密着するフランジ部（１３）を設け、前記フランジ部に前記巻き上げロールのスクリーン止着室（１５）と外半径方向及び軸方向において連通するスクリーン出入口（１４）を形成し、前記ロールエンドに外側から前記スクリーン出入口を開閉するリングカバー（１６）を脱着かつ部分回動自在にに取り付けてなるスクリーン保持機構であって、前記リングカバーは、前記フランジ部側へ軸方向に突出する複数の突起（１８）を有し、前記フランジ部は前記突起が貫通しかつ部分回動する円弧穴（２０）を有し、前記円弧穴は内周段（２１）のある一側と前記突起を遊嵌する他側に分かれ、前記突起が他側に位置するときに、前記リングカバーを前記ロールエンドから外すと、前記スクリーン出入口は開き、前記突起を他側から一側へ回動させると、前記突起が弾性変形して先端のフック（９）が前記円弧穴の内周縁に掛かり、前記リングカバーが前記ロールエンドに固定されて前記スクリーン出入口を閉じることを特徴としてなるロールスクリーンの巻き上げロールのスクリーン保持機構。
【発明の詳細な説明】
【０００１】
【発明の属する技術分野】
本発明は、ロールスクリーンの巻き上げロールに結合するスクリーン上端部を側端面から着脱することができる巻き上げロールのスクリーン保持機構に関する。
【０００２】
【従来の技術】
ロールスクリーンの巻き上げロールに結合するスクリーンの上端部を側端面から着脱することができる従来のロールエンドは、巻き上げロールのスクリーン止着室と連通するスクリーン出入口が常に開いているため、滑りやすい合成樹脂製のジッパーを上端部に縫着したスクリーンは、下限まで引き出されたときに、ロールエンドのスクリーン出入口から抜け出すという問題があった。
【０００３】
このため、上端部にジッパーを縫着したスクリーンは、スクリーン出入口のないロールエンドを備えた巻き上げロールに装着され、その巻き上げロールの周面には特別な出入口が設けられていた。
【０００４】
【発明が解決しようとする課題】
本発明はこの問題を解決するためになされたものであり、その課題は、スクリーンの上端部を巻き上げロール側端面から巻き上げロールに脱着するためのロールエンド機構であって、スクリーンの上端部が、滑りやすい合成樹脂製ジッパーを縫着したものであっても、容易に脱着し、かつ保持することができるものを提供することにある。
【０００５】
【課題を解決するための手段】
前記課題を達成するため、本発明が採用する手段は、巻き上げロールに装着するロールエンドに巻き上げロールのスクリーン止着室と外半径方向及び軸方向において連通するスクリーン出入口を形成し、その出入口を開閉するリングカバーをロールエンドの外側から回動可能に、又は脱着自在に取り付けたことにある。
【０００６】
スクリーン出入口は、巻き上げロールの周端面に密着するロールエンドのフランジ部に形成する。リングカバーにフランジ側へ軸方向に突出する複数の突起を設け、フランジ部にその突起が貫通し、かつ部分回動する複数の円弧穴を設け、リングカバーが出入口を閉じる角度位置にあるとき、その円弧穴の内周縁に突起の先端のフックを弾性的に掛けて、リングカバーをロールエンドに固定する。
【０００７】
【発明の実施の形態】
本発明の機構を図面に示す実施例に基づいて説明する。
図１は第１実施例を備えたスプリングクラッチ式ロールスクリーンの巻き上げロールの端部を示す正面図であり、図２はスクリーンを装着した図１の巻き上げロールの側面図、図３は図１のＩＩＩーＩＩＩ線矢視図である。
【０００８】
巻き上げロール１にロールエンド２が内装され、ロールエンド２のフランジ部３は巻き上げロール１の周端面に密着する。このとき、フランジ部３に設けたスクリーン出入口４は、巻き上げロール１のスクリーン止着室５に重合する。スクリーン止着室５とスクリーン出入口４は軸方向に貫通し、外半径方向に開口する。フランジ部３にリングカバー６が部分回動可能に取り付けられる。リングカバー６は軸方向に貫通し外半径方向に開口する開口７を有する。
【０００９】
図２に示すように、リングカバー６の外周はロールエンド２のフランジ部３の外周と略面一である。リングカバー６がフランジ部３に対して第１角度位置にあるとき、開口７はフランジ部３のスクリーン出入口４と連通するから、図２（ａ）に示すように、スクリーン２３の上端部に縫着した合成樹脂製ジッパー２４を巻き上げロール１のスクリーン止着室５に脱着することが可能である。しかし、第２角度位置にあるときは、図２（ｂ）に示すように、リングカバー６の開口７以外の部分がフランジ部３のスクリーン出入口４を閉じるから、スクリーン２３は巻き上げロール１のスクリーン止着室に保持され、スクリーン出入口から抜け出すことはできない。
【００１０】
図３（ａ）、（ｂ）に示すように、リングカバー６は内周部からフランジ部３側へ突出する複数の突起８を備え、その突起８は先端にフック９を有する。フランジ部３は、リングカバー６の突起８が貫通する円弧穴１０を備える。突起８のフック９は円弧穴１０の内周縁に掛かり、リングカバー６の軸方向位置を規制する。円弧穴１０は内周面中央の中高部１１により両側に分かれる。
【００１１】
リングカバー６が第１角度位置にあるときは、突起８は円弧穴１０の一側に位置し、第２角度位置にあるときは、円弧穴１０の他側に位置する。突起８が円弧穴１０の一方から他方へ、又はその逆に移るとき、突起８は中高部１１を弾性変形により越えなければならないから、リングカバー６は第１及び第２角度位置において安定する。
【００１２】
図３（ａ）に示すように、リングカバー６を第１角度位置に回すと、リングカバー６の開口７がフランジ部３のスクリーン出入口４を開くから、巻き上げロール１にスクリーンを側端面から脱着することが可能となり、図３（ｂ）に示すように、リングカバー６を第２角度位置に回すと、装着したリングカバー６はフランジ部３のスクリーン出入口を閉じるから、スクリーンは内側に保持され、スクリーン出入口４から抜け出すことはできない。円弧穴１０の他側の周方向幅は突起８の周方向幅と略同じであり、リングカバー６は第２角度位置に実質的に固定される。
【００１３】
【実施例】
次に、図面に示す第２実施例について説明する。
図４は、第２実施例を備えてチェーンドライブ式ロールスクリーンの巻き上げロールの端部を示す正面図である。
【００１４】
巻き上げロール２２にロールエンド１２が内装され、ロールエンド１２のフランジ部１３は巻き上げロール２２の周端面に密着する。このとき、フランジ部１３に設けたスクリーン出入口１４は、巻き上げロール２２のスクリーン止着室１５に重合する。スクリーン止着室１５とスクリーン出入口１４は軸方向に貫通し、外半径方向に開口する。
【００１５】
フランジ部１３にリングカバー１６が脱着可能に取り付けられる。リングカバー１６はフランジ部１３のスクリーン出入口１４にはまるブロック１７を有する。ブロック１７の周方向幅は、スクリーン出入口１４の周方向幅の約半分である
図５はリングカバー１６の正面図である。
【００１６】
リングカバー１６は、外周部からフランジ側へ突出するブロック１７と、内周部からフランジ部側へ軸方向に突出する複数の突起１８を備え、その突起は先端にフック１９を有する。
【００１７】
図６は、図４のＶＩ−ＶＩ線矢視図であり、（ａ）はリングカバーの固定前の状態を、（ｂ）は固定後の状態を、それぞれ示す。
図７は、スクリーンを装着した巻き上げロールの側面図であり、（ａ）はリングカバーを取り外した状態、（ｂ）はリングカバーを取り付けた状態を、それぞれ示す。
【００１８】
ロールエンド１２のフランジ部１３は、リングカバー１６の突起１８が貫通する円弧穴２０を備え。、その円弧穴２０は内周縁の一側に内周段２１を有する。円弧穴２０の周方向幅は突起１８の周方向幅の２倍よりも少し大きい。図６（ａ）に示すように、突起１８は円弧穴２０の内周段２１がない他側には遊嵌するが、内周段２１のある一側には、直接内嵌することはできない。しかし、図６（ｂ）に示すように、突起１８は円弧穴２０の他側から内周段２１のある一側へ移ることはできる。このとき、突起１８は弾性変形してフック１９が円弧穴２０の内周縁に掛かるから、リングカバー１６はロールエンド１２に固定する。
【００１９】
このように、図６（ａ）に示すように、リングカバー１６をロールエンド１２に対して、突起１８が円弧穴２０の内周段２１のない他側にくる角度位置に回すと、リングカバー１６は脱着可能となるから、リングカバー１６をロールエンド１２から外すと、図７（ａ）に示すように、ジッパー２４が縫着されたスクリーン２３をロールエンド１２のスクリーン出入口１４を通じて巻き上げロール２２のスクリーン止着室１５に脱着することができる。
【００２０】
次に、図６（ｂ）に示すように、リングカバー１６を再びロールエンド１２に取り付けて、反対に回し、突起１８を円弧穴２０の内周段２１のある一側へ移すと、ブロックがロールエンド１２のスクリーン出入口１４にはまり、図７（ｂ）に示すように、リングカバー１６はロールエンド１２のスクリーン出入口を被覆し、装着したスクリーン２３を内側に保持し、スクリーン２３の巻き上げロール１１からの抜け出しを防止する。
【００２１】
【発明の効果】
上記のとおり、本発明のスクリーン保持機構は、巻き上げロールのスクリーン止着室と連通するスクリーン出入口を開閉するリングカバーを備えるから、巻き上げロールに装着するスクリーンの上端部を側端面から容易に脱着することが可能であり、従来のロールエンドのスクリーン出入口が常に開いていたものと異なり、スクリーン出入口は閉じることができるから、滑りやすい合成樹脂製ジッパーを縫着したスクリーン上端部も抜け出すおそれは全くないという優れた効果を奏する。
【図面の簡単な説明】
【図１】本発明機構の第１実施例を備えた巻き上げロールの要部正面図、
【図２】スクリーンを装着した図１の巻き上げロールの側面図であり、（ａ）はスクリーンの脱着可能な状態を、（ｂ）はスクリーンを保持する状態を、それぞれ示す。
【図３】図１のＩＩＩ−ＩＩＩ線矢視図であり、（ａ）はリングカバーがスクリーン出入口を開く位置にある状態を、（ｂ）はリングカバーがスクリーン出入口を閉じる位置にある状態を、それぞれ示す。
【図４】第２実施例を備えた巻き上げロールの要部正面図、
【図５】リングカバーの正面図、
【図６】図４のＶＩ−ＶＩ線矢視図であり、（ａ）はリングカバーの固定前の状態を、（ｂ）はリングカバーの固定後の状態を、それぞれ示す。
【図７】図４の巻き上げロールの側面図であり、（ａ）はリングカバーを取り外した状態を（ｂ）はリングカバーを取り付けた状態を、それぞれ示す。
【符号の説明】
１：巻き上げロール
２：ロールエンド
３：フランジ部
４：スクリーン出入口
５：スクリーン止着室
６：リングカバー
７：出入口
８：突起
９：フック
１０：円弧穴
１１：中高部
１２：ロールエンド
１３：フランジ部
１４：スクリーン出入口
１５：スクリーン止着室
１６：リングカバー
１７：ブロック部
１８：突起
１９：フック
２０：円弧穴
２１：内周段
２２：巻き上げロール
２３：スクリーン
２４：ジッパー
【図１】
0004407059.tif 000002
【図２】
0004407059.tif 000003
【図３】
0004407059.tif 000004
【図４】
0004407059.tif 000005
【図５】
0004407059.tif 000006
【図６】
0004407059.tif 000007
【図７】
0004407059.tif 000008